(57)【要約】【課題】  対象となる室内の人等に不快感を与えることなく冷暖房を行うことができ、且つ、設置・構築作業を容易に行うことができる輻射パネルユニットと輻射式空調装置を提供すること。【解決手段】  冷暖房対象空間を形成する任意の空間形成部材に冷風／暖風が送風される送風用空間を確保した状態で固定具を介して設置されるパネルと、上記パネルの上記送風用空間側に設置される蓄熱材と、を具備したことを特徴とする輻射パネルユニット。【選択図】図１
2013190183.tif 000002
【特許請求の範囲】
【請求項１】
冷暖房対象空間を形成する任意の空間形成部材に冷風／暖風が送風される送風用空間を確保した状態で固定具を介して設置されるパネルと、
上記パネルの上記送風用空間側に設置される蓄熱材と、
を具備したことを特徴とする輻射パネルユニット。
【請求項２】
請求項１記載の輻射パネルユニットにおいて、
上記任意の空間形成部材は天井であることを特徴とする輻射パネルユニット。
【請求項３】
請求項１又は請求項２記載の輻射パネルユニットにおいて、
上記パネルには開口部が形成されていることを特徴とする輻射パネルユニット。
【請求項４】
請求項３記載の輻射パネルユニットにおいて、
上記開口部は複数のスリットであることを特徴とする輻射パネルユニット。
【請求項５】
請求項１〜請求項４の何れかに記載の輻射パネルユニットにおいて、
上記蓄熱材は蓄熱材ケースに収められており、
上記蓄熱材ケースが上記パネルに固定されていることを特徴とする輻射パネルユニット。
【請求項６】
請求項５記載の輻射パネルユニットにおいて、
上記固定具は上記蓄熱材ケースを介して上記パネルに接続されていることを特徴とする輻射パネルユニット。
【請求項７】
請求項１〜請求項６の何れかに記載の１個又は複数個の輻射パネルユニットと、
上記送風用空間に冷風／暖風を送風する空調装置と、を具備する輻射式空調装置。
【請求項８】
請求項７記載の輻射式空調装置において、
複数の上記輻射パネルユニットが備えられているとともに、上記複数の輻射パネルユニットのパネル間には隙間が設けられていることを特徴とする輻射式空調装置。
【発明の詳細な説明】
【技術分野】
【０００１】
本発明は、例えば、天井板として設置される輻射パネルユニットや上記輻射パネルユニットを用いた輻射式空調装置に係り、特に、パネルの反居住空間側に空調装置から冷風／暖風が送風される送風用空間が確保され、上記パネルの送風用空間側に蓄熱材が設置されており、冷暖房の対象となる居住空間側の人等に空調装置から送風された風が直接当たることがなく、且つ、設置・構築作業を行い易いように工夫したものに関する。
【０００２】
従来、室内の冷暖房を行う場合、例えば、空調装置から温風や冷風を室内に直接送風していた。しかし、室内に温風や冷風を直接送風すると上記室内の人等に上記温風や冷風が直接当たることになり、上記人等に不快感を与えてしまう。
そこで、特許文献１に示すように、空調機からの直接的な送風を行わず、熱媒体からの輻射熱を利用して冷暖房を行う輻射冷暖房ユニットが提案されている。
【先行技術文献】
【特許文献】
【０００３】
【特許文献１】特開２００７−１１３８１０号公報
【発明の概要】
【発明が解決しようとする課題】
【０００４】
しかし、従来の構成では次のような問題があった。
すなわち、熱媒体からの輻射熱を利用して冷暖房を行うためには、上記熱媒体を流通させるための流体流通管を設置しなければならない。また、上記熱媒体を上記流体流通管内に流通させるために新たにポンプなどの設備を設けなければならない。そのため、このような輻射冷暖房ユニットの設置・構築作業は困難なものとなってしまう。
【０００５】
本発明は、上記のような点に基づいてなされたもので、その目的とするところは、冷暖房の対象となる室内の人等に不快感を与えることなく冷暖房を行うことができ、且つ、設置・構築作業を容易に行うことができる輻射パネルユニットと輻射式空調装置を提供することにある。
【課題を解決するための手段】
【０００６】
上記課題を解決するべく請求項１に記載された輻射パネルユニットは、冷暖房対象空間を形成する任意の空間形成部材に冷風／暖風が送風される送風用空間を確保した状態で固定具を介して設置されるパネルと、上記パネルの上記送風用空間側に設置される蓄熱材と、を具備したことを特徴とするものである。
また、請求項２に記載された輻射パネルユニットは、請求項１記載の輻射パネルユニットにおいて、上記任意の空間形成部材は天井であることを特徴とするものである。
また、請求項３に記載された輻射パネルユニットは、請求項１又は請求項２記載の輻射パネルユニットにおいて、上記パネルには開口部が形成されていることを特徴とするものである。
また、請求項４に記載された輻射パネルユニットは、請求項３記載の輻射パネルユニットにおいて、上記開口部は複数のスリットであることを特徴とするものである。
また、請求項５に記載された輻射パネルユニットは、請求項１〜請求項４の何れかに記載の輻射パネルユニットにおいて、上記蓄熱材は蓄熱材ケースに収められており、上記蓄熱材ケースが上記パネルに固定されていることを特徴とするものである。
また、請求項６に記載された輻射パネルユニットは、請求項５記載の輻射パネルユニットにおいて、上記固定具は上記蓄熱材ケースを介して上記パネルに接続されていることを特徴とするものである。
また、請求項７に記載された輻射式空調装置は、請求項１〜請求項６の何れかに記載の１個又は複数個の輻射パネルユニットと、上記送風用空間に冷風／暖風を送風する空調装置と、を具備するものである。
また、請求項８に記載された輻射式空調装置は、請求項７記載の輻射式空調装置において、複数の上記輻射パネルユニットが備えられているとともに、上記複数の輻射パネルユニットのパネル間には隙間が設けられていることを特徴とするものである。
【発明の効果】
【０００７】
以上述べたように、請求項１記載の輻射パネルユニットによると、冷暖房対象空間を形成する任意の空間形成部材に冷風／暖風が送風される送風用空間を確保した状態で固定具を介して設置されるパネルと、上記パネルの上記送風用空間側に設置される蓄熱材と、を具備したため、上記送風用空間内に空調装置から直接の冷風／暖風の送風を行い、これによって上記蓄熱材を冷却又は加熱し、上記蓄熱材及びパネルを介して輻射式の冷暖房を行うことができる。また、冷暖房の対象となる室内の人等に冷風／暖風が直接当たることを防ぐことができ、上記室内の人等に上記冷風／暖風が直接当たることに起因する不快感を与えることがない。また、熱媒体を流通させる流体流通管やポンプなどを設けることなく輻射式の冷暖房を行うことができるため、設置・構築作業を容易なものとすることができる。
また、請求項２記載の輻射パネルユニットは、請求項１記載の輻射パネルユニットにおいて、上記任意の空間形成部材は天井であることを特徴とするため、居住空間となる床側に対して輻射式の冷暖房を行うことができる。
また、請求項３記載の輻射パネルユニットは、請求項１又は請求項２記載の輻射パネルユニットにおいて、上記パネルには開口部が形成されているため、上記送風用空間内に送風された冷風／暖風を上記開口部から反送風用空間側に流出させることができ、効果的に冷暖房を行うことができる。
また、請求項４記載の輻射パネルユニットは、請求項３記載の輻射パネルユニットにおいて、上記開口部は複数のスリットであるため、より効果的に冷暖房を行うことができる。
また、請求項５記載の輻射パネルユニットは、請求項１〜請求項４の何れかに記載の輻射パネルユニットにおいて、上記蓄熱材は蓄熱材ケースに収められており、上記蓄熱材ケースが上記パネルに固定されているため、上記蓄熱材の移動や脱落を防止することができる。
また、請求項６記載の輻射パネルユニットは、請求項５記載の輻射パネルユニットにおいて、上記固定具は上記蓄熱材ケースを介して上記パネルに接続されているため、上記パネルにおいて上記固定具が接続される場所にも上記蓄熱材を配置することができる。そのため、上記蓄熱材や固定具の配置の自由度を高くすることができる。
また、請求項７記載の輻射式空調装置は、請求項１〜請求項６の何れかに記載の１個又は複数個の輻射パネルユニットと、上記送風用空間に冷風／暖風を送風する空調装置と、を具備するものであるため、前述したような効果を奏するものとなっている。
また、請求項８記載の輻射式空調装置は、請求項７記載の輻射式空調装置において、複数の上記輻射パネルユニットが備えられているとともに、上記複数の輻射パネルユニットのパネル間には隙間が設けられているため、上記送風用空間内に送風された冷風／暖風を上記パネル間の隙間から反送風用空間側に流出させることができ、より効果的に冷暖房を行うことができる。
【図面の簡単な説明】
【０００８】
【図１】本発明の第１の実施の形態を示す図で、本実施の形態による輻射パネルユニットが設置された部屋を示す断面図である。
【図２】本発明の第１の実施の形態を示す図で、図１におけるＩＩ−ＩＩ断面図である。
【図３】本発明の第１の実施の形態を示す図で、図３（ａ）は図１におけるＩＩＩａ−ＩＩＩａ断面図、図３（ｂ）は図３（ａ）におけるｂ部分の拡大図である。
【図４】本発明の第１の実施の形態を示す図で、図１におけるＩＶ部分の拡大図である。
【図５】本発明の第１の実施の形態を示す図で、図２におけるＶ部分の拡大図である。
【図６】本発明の第１の実施の形態を示す図で、本実施の形態による輻射パネルユニットに用いられる蓄熱材ケース及び蓄熱材を示す斜視図である。
【図７】本発明の第２の実施の形態を示す図で、本実施の形態による輻射パネルユニットの一部を示す部分正面図である。
【図８】本発明の第２の実施の形態を示す図で、図８（ａ）は本実施の形態による輻射パネルユニットに用いられる蓄熱材収納フレームの蓄熱材収納フレームユニットを示す端面図、図８（ｂ）は本実施の形態による輻射パネルユニットに用いられる蓄熱材収納フレームの端部カバーを示す端面図である。
【図９】本発明のその他の実施の形態を示す図で、本実施の形態による輻射パネルユニットに用いられる蓄熱材収納フレームを示す端面図である。
【発明を実施するための形態】
【０００９】
以下、図１乃至図６を参照して、本発明の第１の実施の形態について説明する。
本実施の形態による輻射パネルユニット１は、図１乃至図５に示すように部屋３内に設置される。
まず、上記部屋３の構成について説明する。図３に示すように、上記部屋３の４方向には空間形成部材としての壁５、７、９、１１が設置されている。すなわち、上記壁５は図３中上側に設置されており、上記壁７は図３中左側に設置されており、上記壁９は図３中下側に設置されており、上記壁１１は図３中右側に設置されている。
また、図１に示すように、上記部屋３の上側（図１中上側）には空間形成部材としての天井１３が設けられており、下側（図１中下側）には空間形成部材としての床１５が設けられている。
そして、上記壁５、７、９、１１、上記天井１３、及び、上記床１５によって囲まれた空間が、冷暖房の対象となる冷暖房対象空間１６となっている。
【００１０】
上記壁５には窓１７が設けられている。また、上記壁５には、図２に示すように、上記壁５に対して直交し且つ上記部屋３内に突出された板状部材１８ａが設置されている。この板状部材１８ａの部屋３中央側端部（図２中左側端部）には、図５にも示すように、枠材１８ｂが設置されている。上記板状部材１８ａは上記壁５と平行な方向（図２中紙面垂直方向）に延長・形成されたものであり、上記枠材１８ｂも上記壁５と平行な方向（図２中紙面垂直方向）に延長・形成された略正方形の断面形状を成す部材である。
上記壁１１には窓１９が設けられている。また、上記壁１１には、図１に示すように、上記壁１１に対して直交し且つ上記部屋３内に突出された板状部材２０ａが設置されている。この板状部材２０ａの部屋３中央側端部（図１中左側端部）には枠材２０ｂが設置されている。上記板状部材２０ａは上記壁１１と平行な方向（図１中紙面垂直方向）に延長・形成されたものであり、上記枠材２０ｂも上記壁１１と平行な方向（図１中紙面垂直方向）に延長・形成された略正方形の断面形状を成す部材である。
【００１１】
上記壁７には通風用貫通孔２１が形成されている。また、上記部屋３の外部（図１中左側）には、空調装置２３が設置されており、この空調装置２３の通風管２５、２５が上記通風用貫通孔２１を貫通して配置されている。又、上記通風管２５の反空調装置２３側（図１中右側）の端部が上記部屋３内に配置されている。
また、上記通風管２５の反空調装置２３側（図１中右側）の端部の前方側（図１中右側）には、格子２７が設置されている。また、図３に示すように、上記格子２７の両側（図３中上下方向両側）であって、上記通風用貫通孔２１側（図３中左側）には仕切板２９、２９が設置されている。また、図１に示すように、上記格子２７と上記仕切板２９、２９は、板状の見切材３１の上面（図１中上側の面）に設置されている。また、上記見切材３１は、輻射パネルユニット１の後述するパネル１１９上に設置された支持部材３３によって支持されている。
また、上記壁７には図１に示すように、上記壁７に対して直交し且つ上記部屋３内に突出された板状部材３２ａが設置されている。この板状部材３２ａの部屋３中央側端部（図１中右側端部）には枠材３２ｂが設置されている。上記板状部材３２ａは上記壁７と平行な方向（図１中紙面垂直方向）に延長・形成されたものであり、上記枠材３２ｂも上記壁７と平行な方向（図１中紙面垂直方向）に延長・形成された略正方形の断面形状をなす部材である。
【００１２】
また、上記壁９は、図２に示すように、上記天井１３から突出・形成された垂れ壁３４ａと、この垂れ壁３４ａの床１５側（図２中下側）に設置され上記壁９に対して直交し且つ上記部屋３内に突出された板状部材３４ｂと、上記板状部材３４ｂと上記床１５との間に設けられた複数（本実施の形態の場合は２枚）の間仕切３４ｃ、３４ｃとから構成されている。また、上記板状部材３４ｂの部屋３中央側端部（図２中右側端部）には枠材３４ｄが設置されている。上記板状部材３４ｂは上記壁９と平行な方向（図２中紙面垂直方向）に延長・形成されたものであり、上記枠材３４ｄも上記壁９と平行な方向（図２中紙面垂直方向）に延長・形成された略正方形の断面形状を成す部材である。
【００１３】
また、上記天井１３の複数の所定位置（本実施の形態においては４×３の１２箇所）には、蝶ナット３５が埋設されている。この蝶ナット３５には、下側（図１中下側）に開口され、上下方向（図１中上下方向）に延長・形成された図示しない雌ネジ部が設けられている。
また、図１、図２、図４、及び、図５に示すように、上記天井１３の部屋３内部側（図４中下側）の面には複数（本実施の形態の場合には４本）のフレーム３７が固定されている。このフレーム３７は、図１中左右方向に指向されており、図２に示すように、所定の位置に等間隔に配置されている。
【００１４】
上記フレーム３７は、図５に示すような断面形状を成している。すなわち、上記フレーム３７の３つの側面（図５中左側、下側、及び、右側の側面）には、溝３９ａ、３９ｂ、３９ｃが形成されている。上記溝３９ａ、３９ｂ、３９ｃは、フレーム３７中心側が広く、フレーム３７側面側が狭くなっており、フレーム４７の長さ方向（図５中紙面垂直方向）に延長・形成されている。また、上記溝３９ａ、３９ｂ、３９ｃは上記フレーム３７の側面と長さ方向両端に開口している。また、上記溝３９ａは上記フレーム３７の図５中左側に形成されており、上記溝３９ｂは上記フレーム３７の図５中下側に形成されており、上記溝３９ｃは上記フレーム３７の図５中右側に形成されている。また、上記フレーム３７の中央には貫通孔４１が長さ方向（図５中紙面垂直方向）に延長・形成されており、下側の両端側には貫通孔４３、４３が長さ方向（図５中紙面垂直方向）に延長・形成されており、上側には貫通孔４５が長さ方向（図５中紙面垂直方向）に延長・形成されている。
【００１５】
また、上記フレーム３７の溝３９ｃ内の所定の複数の箇所（本実施の形態の場合は３箇所）には、ナット４７が挿入・配置されている。このナット４７は図５に示すように、上記溝３９に対応した形状を成しており、上記フレーム３７の上記溝３９ｃが形成された側面に垂直な方向（図５中左右方向）に延長・形成された図示しない雌ネジ部が形成されている。
【００１６】
また、図５に示すように、上記フレーム３７の上記ナット４７に対応した位置にアングル材４９が固定されている。このアングル材４９は、略Ｌ字形の断面形状を成しており、２つの平板状の部分の夫々の中央に図示しない貫通孔が穿孔されている。
上記アングル材４９は、上記図示しない貫通孔の内の一方の貫通孔（図５中左右方向に延長・形成された貫通孔）を貫通し上記ナット４７の雌ネジ部に螺合されるボルト５１によって、上記フレーム３７に対して固定されている。また、上記ボルト５１の頭部と上記アングル材４９との間にはワッシャ５３が介挿されている。
【００１７】
また、上記アングル材４９は、上記図示しない貫通孔の内の他方の貫通孔（図５中上下方向に延長・形成された貫通孔）を貫通し上記蝶ナット３５の雌ネジ部に螺合されるボルト５５によって、上記天井１３に対して固定されている。また、上記アングル材４９と上記ボルト５５の頭部との間にはワッシャ５７、５９が介挿されている。上記ワッシャ５７は上記天井１３側に配置されており、上記ワッシャ５９は上記ボルト５５の頭部側に配置されているものである。また、上記ワッシャ５７は上記ワッシャ５９よりも径（図５中左右方向長さ及び紙面垂直方向長さ）が大きいものとなっている。
また、以上のような構成から、上記フレーム３７は上記アングル材４９を介して上記天井１３に固定されていることになる。また、１つの上記フレーム３７は３つの上記蝶ナット３５によって取り付けられていることになる。
【００１８】
また、上記フレーム３７の溝３９ｂ内の複数の所定位置（本実施の形態の場合には６箇所）にはナット６１が挿入・配置されている。このナット６１も上記ナット４７と同様の構成を成している。また、上記フレーム３７の上記ナット６１に対応した位置にはアングル材６３が固定されている。このアングル材６３は上記アングル材４９と同様の構成を成しており、上記ナット６１に螺合されるボルト６５によって固定されている。また、上記ボルト６５の頭部と上記アングル材６３との間にはワッシャ６７が介挿されている。
また、図１に示すように、上記フレーム３７の空調装置２３側（図１中左側）は樹脂製のカバー６９によって覆われている。
【００１９】
また、図１、図２、図４、及び、図５に示すように、上記フレーム３７と直交する方向（図１中紙面垂直方向）に複数（本実施の形態の場合には６本）のフレーム７１が設置されている。このフレーム７１も上記フレーム３７と同様の構成を成しているものであり、図４に示すように、溝７３ａ、７３ｂ、７３ｃや、貫通孔７５、７７、７９が形成されている。
また、上記フレーム７１の溝７３ｃ内の所定位置にも、複数（本実施の形態の場合は４つ）のナット８１が挿入・配置されている。そして、上記アングル材６３は上記フレーム７１に対して、上記アングル材６３の図示しない貫通孔を貫通し上記ナット８１に螺合されるボルト８３によって固定されている。また、上記ボルト８３の頭部と上記アングル材６３との間にはワッシャ８５が介挿されている。
また、上記フレーム７１の溝７３ｂ内の所定位置にも、複数（本実施の形態の場合は５個）のナット８７が挿入・配置されている。
【００２０】
次に、輻射パネルユニット１の構成について説明する。
まず、上記輻射パネルユニット１には、スタッドボルト８９がある。
そして、図４に示すように、上記スタッドボルト８９は上記ナット８７に螺合されている。また、上記スタッドボルト８９にはナット９１が螺合されている。上記フレーム７１と上記ナット９１との間にはワッシャ９３が介挿されている。また、上記スタッドボルト８９が上記ナット８７に螺合されるとともに、上記ナット９１によって上記ワッシャ９３を上記フレーム７１側に付勢することによって、上記スタッドボルト８９、ひいては、上記輻射パネルユニット１が上記フレーム７１に対して締結・固定されている。
【００２１】
また、図４に示すように、上記スタッドボルト８９にはＣチャンネル９５が締結・固定されている。このＣチャンネル９５は略コの字型の断面形状を成しており、図４中上側の平板状部分と図４中下側の平板状部分のそれぞれに図示しない貫通孔が形成されている。上記スタッドボルト８９は上記Ｃチャンネル９５の図４中上側の平板状部分の図示しない貫通孔を貫通している。上記スタッドボルト８９にはナット９７とナット９９が螺合されており、上記ナット９７は上記Ｃチャンネル９５の図４中上側の平板状部分のフレーム７１側（図４中上側）に配置されており、上記ナット９９は上記Ｃチャンネル９５の図４中上側の平板状部分の反フレーム７１側（図４中下側）に配置されている。また、上記ナット９７と上記Ｃチャンネル９５との間にはワッシャ１０１が介挿されており、上記ナット９９と上記Ｃチャンネル９５との間にはワッシャ１０３が介挿されている。そして、上記ワッシャ１０１が上記ナット９７によって上記Ｃチャンネル９５側に付勢され、且つ、上記ワッシャ１０３が上記ナット９９によって上記Ｃチャンネル９５側に付勢されることによって、上記Ｃチャンネル９５が上記ワッシャ１０１、１０３間に挟みこまれ、上記スタッドボルト８９が上記Ｃチャンネル９５に締結・固定される。
【００２２】
また、上記Ｃチャンネル９５の反フレーム７１側（図４中下側）にはカラー１０５が締結・固定されている。このカラー１０５の上端面（図４中上側端面）には雌ネジ部１０６ａが形成されており、上記カラー１０５の下端面（図４中下側端面）には雌ネジ部１０６ｂが形成されている。また、上記カラー１０５と上記Ｃチャンネル９５との間にはワッシャ１０７、１０９が介挿されている。上記ワッシャ１０７は上記ワッシャ１０９の上記Ｃチャンネル９５側（図４中上側）にあり、上記ワッシャ１０９よりも径（図４中左右方向及び紙面垂直方向の大きさ）が大きいものとなっている。
【００２３】
また、ボルト１１１が上記Ｃチャンネル９５の図４中下側の平板状部分の図示しない貫通孔を貫通して、上記カラー１０５の雌ネジ部１０６ａに螺合されている。また、上記ボルト１１１の頭部と上記Ｃチャンネル９５との間には、ワッシャ１１３、１１５、１１７が介挿されている。上記ワッシャ１１３は最も上記Ｃチャンネル９５側に配置されており、上記ワッシャ１１７は最も上記ボルト１１１の頭部側に配置されている。上記ワッシャ１１５は上記ワッシャ１１３と上記ワッシャ１１７との間に配置されている。
そして、上記ボルト１１１が上記カラー１０５の雌ネジ部１０６ａに螺合されて、上記ボルト１１１の頭部が上記カラー１０５側に移動することで、上記ワッシャ１１３と上記ワッシャ１０７とが上記Ｃチャンネル９５側に付勢され、上記カラー１０５が上記Ｃチャンネル９５に対して締結・固定される。
【００２４】
また、上記カラー１０５の下端面（図４中下側の端面）にはパネル１１９が締結・固定されている。このパネル１１９は、板状の部材であり、例えば、アルミ製である。上記パネル１１９と上記カラー１０５との間にはワッシャ１２１が介挿されている。また、上記パネル１１９は、上記パネル１１９及び上記ワッシャ１２１を貫通して上記カラー１０５の雌ネジ部１０６ｂに螺合される皿ネジ１２３によって、上記カラー１０５に対して締結・固定されている。
また、図３（ａ）に示すように、上記パネル１１９には、開口部として複数のスリット１２５が形成されている。このスリット１２５は、図３（ｂ）に示すように、長穴形状の貫通孔であり、複数の上記スリット１２５が図３（ａ）中上下方向に配置・形成されて、列を成している。そして、このような上記スリット１２５による列が、１枚の上記パネル１１９に、例えば、１２列形成されている。また、上記スリット１２５による上記パネル１１９の開口率（上記パネル１１９の面積の内、上記スリット１２５が占める割合）は例えば、２０．７％となっている。
【００２５】
また、上記パネル１１９には、上記皿ネジ１２３の頭部の形状に対応したテーパ付貫通孔１２７が形成されている。上記ワッシャ１２１は、上記パネル１１９の上記テーパ付貫通孔１２７が形成された部分の厚さ（図４中上下方向長さ）が薄くなった部分を補強するために設けられたものであり、上記皿ネジ１２３を上記カラー１０５の雌ネジ部１０６ｂに螺合させていったとしても、上記ワッシャ１２１によって上記皿ネジ１２３の頭部によって上記パネル１１９が変形してしまうことを防止している。
以上のような構成から、上記パネル１１９は、スタッドボルト８９、ナット９７、ワッシャ１０１、Ｃチャンネル９５、ワッシャ１０３、ナッド９９、ボルト１１１、ワッシャ１１３、１１５、１１７、ワッシャ１０７、１０９、及び、カラー１０５からなる固定具１２８によって、フレーム７１から吊り下げられた状態で設置・固定されていることになる。
【００２６】
また、図１乃至図３に示すように、上記パネル１１９の天井１３側（図１中上側）の面には、複数（本実施の形態の場合には、上記パネル１１９一枚あたり１２個）の蓄熱材ケース１２９が設置・固定されている。この蓄熱材ケース１２９は、図６に示すように、四角形の断面形状を成す筒状の部材であり、例えば、アルミを押出成形することにより形成されたものである。
また、上記蓄熱材ケース１２９内には蓄熱材１３１が挿入されている。この蓄熱材１３１は、例えば、流動パラフィンを樹脂製のフィルムからなる袋に封入したものである。
【００２７】
また、図１や図３に示すように、複数個（本実施の形態の場合には３つ）の上記輻射パネルユニット１が、部屋３の天井１３に設置されている。
また、冷暖房対象空間１６のうち、上記輻射パネルユニット１のパネル１１９と上記天井１３との間には送風用空間１３３が確保されている。これは、上記固定具１２８によって、上記パネル１１９が上記天井１３に対して所定の間隔（例えば、２２５ミリメートルの間隔）を設けた状態で設置されていることによるものである。
また、上記冷暖房対象空間１６のうち、上記パネル１１９の反送風用空間１３３側（図１中下側）は居住空間１３２となっており、この居住空間１３２内に人１３５等が居る。
また、図４に示すように、本実施の形態の場合においては、隣り合った上記輻射パネルユニット１のパネル１１９間に隙間１３０ａが設けられているが、この隙間１３０ａは板状部材１３４によって塞がれている。なお、上記板状部材１３４は隣り合った上記パネル１１９、１１９の内のいずれか一方に接着されることで固定されているものである。
【００２８】
また、図５に示すように、前述した壁５に設けられた板状部材１８ａと上記輻射パネルユニット１のパネル１１９との間には、隙間１３０ｂ（例えば、本実施の形態の場合は８ｍｍ）が設けられている。また、この隙間１３０ｂの送風用空間１３３側（図５中上側）に、上記板状部材１８ａに設けられた枠材１８ｂが配置されている。また、上記枠材１８ｂは上記パネル１１９の端部と一部重合しているとともに、上記枠材１８ｂと上記パネル１１９の送風用空間１３３側の面（図５中上側）との間には隙間１３０ｃが設けられている。
【００２９】
また、図５には、上記板状部材１８ａと上記パネル１１９との間の隙間１３０ｂと、上記枠材１８ｂと上記パネル１１９との間の隙間１３０ｃが図示されているが、壁７に設けられた板状部材３２ａと上記輻射パネルユニット１のパネル１１９との間、壁９に設けられた板状部材３４ｂと上記輻射パネルユニット１のパネル１１９との間、及び、壁１１に設けられた板状部材２０ａと上記輻射パネルユニット１のパネル１１９との間にも同様に隙間１３０ｂが設けられており、板状部材３２ａに設けられた枠材３２ｂ、板状部材３４ｂに設けられた枠材３４ｄ、及び、上記板状部材２０ａに設けられた枠材２０ｂと上記パネル１１９との間にも隙間１３０ｃが設けられている。
また、部屋３には、上記居住空間１３２内の空気を空調装置２３側に戻す図示しない循環装置が設けられている。
また、複数（本実施の形態の場合は３つ）の上記輻射パネルユニット１と空調装置２３とによって、輻射式空調装置１３６が構成されている。
【００３０】
次に、上記輻射パネルユニット１及び輻射式空調装置１３６の作用について説明する。
まず、図１に示すように、空調装置２３から通風用空間１３３に向けて冷風／温風Ａが送風される。そして、この冷風／温風Ａによって、蓄熱材ケース１２９内の蓄熱材１３１が冷却又は加熱される。この冷却又は加熱された蓄熱材１３１によって、上記パネル１１９を介して、部屋３の居住空間１３２側に対する輻射式の冷暖房が行われる。
【００３１】
また、上記送風用空間１３３に送風された上記冷風／温風Ａの一部は、上記パネル１１９のスリット１２５や上記パネル１１９の端部と枠材１８ｂ等との間の隙間１３０ｂ、１３０ｃから居住空間１３２側へと流出していく。これによって、上記部屋３の居住空間１３２側に対する直接的な冷暖房も行われる。
なお、上記居住空間１３２側の空気は、図示しない循環装置によって上記空調装置２３側に戻され、再び、上記空調装置２３によって上記冷風／温風Ａとなる。
【００３２】
次に、上記輻射パネルユニット１及び輻射式空調装置１３６による効果について説明する。
まず、本実施の形態の場合には、複数の輻射パネルユニット１によって送風用空間１３３を形成し、この送風用空間１３３内に空調装置２３から冷風／温風を供給し、そこに設置されている蓄熱材１３１を冷却又は加熱し、その蓄熱材１３１及びパネル１１９を介して、部屋３の居住空間１３２側に輻射式の冷暖房を施すようにしているので、居住空間１３２側に居る人１３５等に冷風／温風が直接当たることはなく、冷風／温風が直接当たることによって感じる不快感をなくすことができる。
【００３３】
なお、冷風／温風の一部は、スリット１２５、パネル１１９と板状部材１８ａ、２０ａ、３２ａ、３４ｂとの間の隙間１３０ｂ、及び、パネル１１９と枠材１８ｂ、２０ｂ、３２ｂ、３４ｄとの間の隙間１３０ｃを介して、部屋３の居住空間１３２側に直接供給されるが、その量は僅かであり不快感を与えるようなものではない。
【００３４】
また、従来の輻射式の場合には、熱媒体を流通させる流体流通管やポンプなどを設ける必要があった。これに対して、本実施の形態の場合には、空調装置２３と通風管２５、２５を設けるとともに輻射射パネルユニット１を設置するだけでよく、送風用空間１３３内に別途配管などを行う必要はないので、全体として設置作業、構築作業の容易化を図ることができる。
また、上記蓄熱材１３１は上記蓄熱材ケース１３１内に設置されているため、上記蓄熱材１３１の移動や脱落を防止することができ、これによって、上記輻射パネルユニット１の確実な機能が担保されている。
【００３５】
また、上記パネル１１９にはスリット１２５が設けられており、上記送風用空間１３３に送風された冷風／温風の一部が上記スリット１２５から居住空間１３２側に直接流出するようになっている。つまり、既に説明した輻射式の冷暖房に加えて一部直接的な冷暖房を施すことになり、それによって、冷暖房の効果を高めることができる。
特に、本実施の形態の場合は、上記スリット１２５による上記パネル１１９の開口率が、例えば、２０．７％となっている。これによって上記送風用空間１３３側から上記スリット１２５を介して直接居住空間１３２側に流出する冷風／温風の量が、上記居住空間１３２内の人１３５等に不快感を与えない程度に抑えられている。よって、上記人１３５等に不快感を与えることなく冷暖房効果の向上を図ることができる。
【００３６】
また、上記パネル１１９の端部側と板状部材１８ａ、２０ａ、３２ａ、３４ｂとの間に隙間１３０ｂが設けられ、上記パネル１１９の端部側と枠材１８ｂ、２０ｂ、３２ｂ、３４ｄとの間にも隙間１３０ｃが設けられているため、上記隙間１３０ｂ、１３０ｃによって上記送風用空間１３３と居住空間１３２側とが連通されている。そのため、上記隙間１３０ｂ、１３０ｃからも上記送風用空間１３３に送風された冷風／温風の一部が居住空間１３２側に流出するようになっており、このことによっても、冷暖房効果の向上を図っている。なお、前述したように、上記隙間１３０ｂ、１３０ｃから流出する冷風／温風の量は、上記人１３５等に不快感を与えない程度のものである。
【００３７】
また、空調装置２３の通風管２５、２５は、格子２７、仕切り板２９、２９、及び、見切板３１によって囲まれているため、上記送風用空間１３３側に供給される冷風／温風の量が適切なものとなっている。
また、フレーム３７の空調装置２３側（図１中左側）は樹脂製のカバー６９によって覆われているため、上記冷風／温風による上記フレーム３７表面における結露を防止することができる。
【００３８】
次に、図７及び図８を参照して、本願発明の第２の実施の形態について説明する。
なお、本実施形態の場合における輻射パネルユニット１３７は、前述した第１の実施の形態における輻射パネルユニット１と略同様の構成であり、パネル１１９の代わりにパネル１３８が用いられており、このパネル１３８と固定具１２８との接続部分の構成が異なっているである。また、上記輻射パネルユニット１３７が設置される部屋３等の構成も、前述した第１の実施の形態の場合と同様である。また、上記第１の実施の形態と上記第２の実施の形態の両方について共通する構成については同一の符号を付して説明を省略する。
【００３９】
本実施の形態における上記輻射パネルユニット１３７の上記パネル１３８と上記固定具１２８との接続部分は図７に示すような構成となっている。
まず、上記パネル１１９と上記固定具１２８のカラー１０５とは、蓄熱材ケースとしての蓄熱材収納フレーム１３９を介して接続されている。この蓄熱材収納フレーム１３９は、連続して係合・配置された複数（本実施の形態の場合においては３つ）の蓄熱材収納フレームユニット１４１と上記蓄熱材収納フレーム１３９の端部（図７中左側端又は右側端）に係合された端部カバー１４３とから構成されている。
【００４０】
上記蓄熱材収納フレームユニット１４１は、図７中紙面垂直方向に延長・形成された、例えば、アルミの押出成形により形成された部材であり、図８に示すように、一の面（図８（ａ）中上側の面）には溝１４５が形成されている。この溝１４５は、前述した第１の実施の形態のフレーム３７の溝３９等と同様のものである。また、上記蓄熱材収納フレームユニット１４１の幅方向の一端側（図８（ａ）中左端側）には、係合部１４７、１４９が形成されているとともに、幅方向の他端側（図８（ａ）中右端側）には、係合部１５１、１５３が形成されている。また、上記蓄熱材収納フレームユニット１４１には、貫通孔１５４ａ、１５４ｂが長さ方向（図８（ａ）中紙面垂直方向）に延長・形成されている。
【００４１】
また、上記端部カバー１４３も図７中紙面垂直方向に延長・形成された、例えば、アルミの押出成形により形成された部材であり、図８（ｂ）に示すように、係合部１５５、１５７が形成されている。上記係合部１５５は、上記端部カバー１４３が上記蓄熱材収納フレームユニット１４１に係合される際、上記係合部１４７又は上記係合部１５１に係合されるものである。また、上記係合部１５７は、上記端部カバー１４３が上記蓄熱材収納フレームユニット１４１に係合される際、上記係合部１４９又は上記係合部１５３に係合されるものである。
【００４２】
また、例えば、上記蓄熱材収納フレームユニット１４１同士が係合される場合は、上記係合部１４７と上記係合部１４９を係合させ、上記係合部１５１と上記係合部１５３とを係合させる。このように複数の上記蓄熱材収納フレームユニット１４１を連続して係合させることで上記溝１４５の向きが交互に天井１３側（図７中上側）又はパネル１３８側（図７中下側）を向くように構成することができる。
【００４３】
上記蓄熱材収納フレーム１３９と固定具１２８との接続は次のようにして行われる。まず、上記蓄熱材収納フレーム１３９の一の蓄熱材収納フレームユニット１４１（本実施の形態の場合においては図７中左側の蓄熱材収納フレームユニット１４１）の天井１３側（図７中上側）に開口された溝１４５内にボルト１５９の頭部が挿入されている。このボルト１５９の頭部は、前述した第１の実施の形態で用いたナット４７等と同様の形状を成しており、上記溝１４５の形状に対応したものである。そして、上記ボルト１５９の雄ネジ部が形成された軸部が上記固定具１２８のカラー１０５の雌ネジ部１０６ｂに螺合されている。また、上記カラー１０５と上記蓄熱材収納フレームユニット１４１との間にはワッシャ１６１が介挿されている。
【００４４】
なお、上記固定具１２８と上記蓄熱材収納フレーム１３９とを接続する際、まず、上記蓄熱材収納フレームユニット１４１の溝１４５内に上記ボルト１５９の頭部を挿入し、まだＣチャンネル９５に固定していないカラー１０５を先に上記ボルト１５９の軸部と螺合させ、その後、上記カラー１０５に対して上記Ｃチャンネル９５を固定するようにする。
また、上記蓄熱材収納フレーム１３９に対するパネル１３８の固定は、上記固定具１２８に上記蓄熱材収納フレーム１３９を固定した後に行う。
【００４５】
また、上記蓄熱材収納フレーム１３９とパネル１３８との接続は次のようにして行われる。まず、上記蓄熱材収納フレーム１３９の一の蓄熱材収納フレームユニット１４１（本実施の形態の場合においては図７中中央の蓄熱材収納フレームユニット１４１）のパネル１３８側（図７中下側）に開口された溝１４５内にナット１６３が挿入されている。このナット１６３は、前述した第１の実施の形態で用いたナット４７等と同様の構成を成しており、上記溝１４５の形状に対応したものである。そして、上記ナット１６３の雌ネジ部に対して、上記パネル１３８の居住空間１３２側（図７中下側）から上記パネル１３８を貫通して、皿ネジ１６５が螺合されている。
【００４６】
また、個々の上記蓄熱材収納フレームユニット１４１の貫通孔１５４ａ又は貫通孔１５４ｂ内には、蓄熱材１３１が挿入・固定されている。本実施の形態の場合には、上記蓄熱材１３１は１つの上記蓄熱材収納フレームユニット１４１あたりに１つが挿入・固定されている。
また、上記パネル１３８には、上記皿ネジ１６５に貫通され、且つ、上記皿ネジ１６５の頭部を収納するテーパ付貫通孔１６７が形成されている。また、上記パネル１３８には図示しないスリットが形成されている。このスリットは、前述した第１の実施の形態におけるパネル１１９のスリット１２５と同様のものであるが、上記蓄熱材収納フレーム１３９によって閉鎖されないような位置に設けられている。
また、上記輻射パネルユニット１３７と空調装置２３によって、輻射式空調装置が構成される。
【００４７】
本実施の形態における輻射パネルユニット１３７及び上記輻射パネルユニット１３７を用いた輻射式空調装置も、前述した第１の実施の形態における輻射パネルユニット１と同様の作用を奏する。
また、上記輻射パネルユニット１３７及び上記輻射パネルユニット１３７を用いた輻射式空調装置も、前述した第１の実施の形態における輻射パネルユニット１と同様の効果を奏するほか、次のような効果も奏する。すなわち、内部に蓄熱材１３１が挿入・固定された上記蓄熱材収納フレームユニット１４１に対して固定具１２８が接続されているため、上記蓄熱材１３１を配置した位置（パネル１３８上での位置）に固定具１２８を配置することができる。また、この様な構成とすることで上記蓄熱材１３１や上記固定具１２８の配置の自由度を高くすることができる。
【００４８】
なお、本発明は、前述した第１の実施の形態や第２の実施の形態に限定されない。
たとえば、部屋３に設置される輻射パネルユニット１や輻射パネルユニット１３７の数は、いろいろな場合が考えられる。
また、パネル１１９、１３８の大きさ・形状・材質には様々な場合が考えられる。
また、上記パネル１１９、１３８に設けられるスリット（開口部）の大きさ、形状、個数、配置には様々な場合が考えられる。
また、上記蓄熱材１３１の種類、個数、配置には様々な場合が考えられる。
また、上記蓄熱材ケース１２９の形状、大きさ、材質、製造方法には様々な場合が考えられる。
【００４９】
また、前述した第１の実施の形態や第２の実施の形態の場合は、上記輻射パネルユニット１や輻射パネルユニット１３７を天井側に配置したが、壁側や床側に配置する場合も考えられる。
また、前述した第１の実施の形態や第２の実施の形態の場合は、フレーム３７とフレーム７１を介して天井１３に固定具１２８が接続・固定されたが、上記固定具１２８を直接天井１３に固定することも考えられる。その際、スタッドボルト８９が天井１３に埋設された蝶ナット３７に螺合されることになる。
【００５０】
また、前述した第１の実施の形態や第２の実施の形態の場合は、パネル１１９間の隙間やパネル１３８間の隙間を板状部材１３４で塞いでいたが、この板状部材１３４を設けず、上記隙間を開放した状態にする場合も考えられる。このような場合は、送風用空間側に送風された冷風／暖風の一部が上記隙間から冷暖房対象空間側に流出することになる。
【００５１】
また、前述した第２の実施の形態においては、複数（例えば、３つ）の蓄熱材収納フレームユニット１４１を溝１４５の向きが交互に天井１３側（図７中上側）又はパネル１３８側（図７中下側）を向くように構成したが、図９に示すように、全ての溝１４５が天井１３側（図９中上側）を向くようして、蓄熱材収納フレーム１３９を構成する場合も考えられる。このような場合、パネル１３８は、蓄熱材収納フレーム１３９に対して、例えば、接着剤によって固定される。
また、蓄熱材収納フレーム１３９を構成する蓄熱材収納フレームユニット１４１の個数には様々な場合が考えられる。また、上記蓄熱材収納フレーム１３９、上記蓄熱材収納フレームユニット１４１、端部カバー１４３の大きさ、形状、材質、製造方法には様々な場合が考えられる。
また、前述した第１の実施の形態や第２の実施の形態においては、居住空間１３２内の空気を空調装置２３側に戻す図示しない循環装置が設けられていたが、代わりに、上記居住空間１３２内の空気を屋外（上記部屋３の設けられている建物等の外部）に排出する図示しない排気装置が設けられている場合も考えられる。なお、上記排気装置を設けた場合、上記空調装置２３は屋外からの空気を取り込んで、冷風／温風とするものである。
【産業上の利用可能性】
【００５２】
本発明は、例えば、天井板として設置される輻射パネルユニットや上記輻射パネルユニットを用いた輻射式空調装置に係り、特に、パネルの反居住空間側に空調装置から冷風／暖風が送風される送風用空間が確保され、上記パネルの送風用空間側に蓄熱材が設置されており、居住空間側の人等に空調装置から送風された風が直接当たることがなく、且つ、設置・構築作業を行い易いように工夫したものに係り、例えば、住宅用の天井板に好適である。
【符号の説明】
【００５３】
１  輻射パネルユニット
３  部屋
１３  天井
１６  冷暖房対象空間
２３  空調装置
１１９  パネル
１２５  スリット（開口部）
１２８  固定具
１２９  蓄熱材ケース
１３０ａ  隙間
１３１  蓄熱材
１３３  送風用空間
１３６  輻射式空調装置
１３７  輻射パネルユニット
１３８  パネル
１３９  蓄熱材収納フレーム（蓄熱材ケース）
【図１】
2013190183.tif 000003
【図２】
2013190183.tif 000004
【図３】
2013190183.tif 000005
【図４】
2013190183.tif 000006
【図５】
2013190183.tif 000007
【図６】
2013190183.tif 000008
【図７】
2013190183.tif 000009
【図８】
2013190183.tif 000010
【図９】
2013190183.tif 000011